(57)【要約】【課題】任意の機能をユーザが簡単な操作で容易に選択できるユーザインタフェース機能を実現する。【解決手段】映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるメニュー画面表示手段と、メニュー画面に配置された選択要素に対する操作履歴から導かれる操作回数に応じた情報を記憶する履歴記憶手段と、を備え、メニュー画面表示手段は、少なくとも一の階層に配置される選択要素について、操作回数に応じた情報に従って配置する。【選択図】図１３
2012234341.tif 000002
【特許請求の範囲】
【請求項１】
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるメニュー画面表示手段と、
前記メニュー画面に配置された前記選択要素に対する操作履歴から導かれる操作回数に応じた情報を記憶する履歴記憶手段と、
を備え、
前記メニュー画面表示手段は、少なくとも一の階層に配置される前記選択要素について、前記操作回数に応じた情報に従って配置する、
映像表示装置。
【請求項２】
前記メニュー画面に配置された前記選択要素に対する操作を行う人物を識別する人物識別手段を更に備え、
前記履歴記憶手段は、前記人物識別手段によって識別された前記人物に対応付けて前記選択要素に対する操作によって選択された機能についてランキングを生成して前記操作回数に応じた情報として記憶する、
請求項１記載の映像表示装置。
【請求項３】
前記メニュー画面表示手段は、前記操作回数に応じた情報としてのランキングの上位にあたる前記選択要素を同一の階層にまとめて表示する、
請求項２記載の映像表示装置。
【請求項４】
前記メニュー画面表示手段は、一の階層における前記選択要素の配置として、前記操作回数に応じた情報としてのランキングが最上位の前記選択要素を中心としてランキングの上位にあたる前記選択要素を順に表示する、
請求項２または３記載の映像表示装置。
【請求項５】
前記メニュー画面表示手段は、一の階層における前記選択要素の数について、任意の数に設定可能である、
請求項１ないし４のいずれか一記載の映像表示装置。
【請求項６】
前記履歴記憶手段は、前記操作回数に応じた情報に対する編集を許容する、請求項１ないし５のいずれか一記載の映像表示装置。
【請求項７】
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるステップと、
前記メニュー画面に配置された前記選択要素に対する操作履歴から導かれる操作回数に応じた情報を記憶するステップと、
を含み、
前記メニュー画面を表示するステップは、少なくとも一の階層に配置される前記選択要素について、前記操作回数に応じた情報に従って配置する、
メニュー画面表示方法。
【請求項８】
前記メニュー画面に配置された前記選択要素に対する操作を行う人物を識別するステップを更に含み、
前記操作回数に応じた情報を記憶するステップは、識別された前記人物に対応付けて前記選択要素に対する操作によって選択された機能についてランキングを生成して前記操作回数に応じた情報として記憶する、
請求項７記載のメニュー画面表示方法。
【請求項９】
前記メニュー画面を表示するステップは、前記操作回数に応じた情報としてのランキングの上位にあたる前記選択要素を同一の階層にまとめて表示する、
請求項７または８記載のメニュー画面表示方法。
【発明の詳細な説明】
【技術分野】
【０００１】
本発明の実施形態は、映像表示装置およびメニュー画面表示方法に関する。
【背景技術】
【０００２】
近年、映像表示装置（例えば、デジタルテレビジョン等）は、多機能高機能化の傾向が著しく、これに伴い多種多様な各種のＡ／Ｖ（オーディオ・ビジュアル）機能が搭載可能になった。例えばテレビジョン放送番組の視聴および録画・再生機能に加え、内部若しくは外部の大容量記録媒体に映像、音楽等のコンテンツを格納し読み出して再生する機能、ネットワーク経由で提供される映像および音楽番組の再生機能等、各種のＡ／Ｖ機能を実現可能である。
【０００３】
このような多種多様な機能を扱う映像表示装置においては、ユーザインタフェース機能の一種として、各種機能を一覧表示するメニュー画面を表示させ、当該メニュー画面から所望する任意の機能をユーザに選択させるものがある。
【０００４】
また、ユーザインタフェース機能の使い勝手を向上させる技術として、例えばアイコンの形状、表示色等を変化させる技術や、一のダイレクトキーや複数のキーに対して機能を割り当てる技術、使用頻度に応じてアイコンを配列する技術などが存在する。
【先行技術文献】
【特許文献】
【０００５】
【特許文献１】特開２００９−０１５４４０号公報
【特許文献２】特開２００９−１８１５０１号公報
【発明の概要】
【発明が解決しようとする課題】
【０００６】
上記したような各種のＡ／Ｖ機能等、多種多様な機能を搭載可能な映像表示装置に於いては、多種多様な機能の中から所望する任意の機能をユーザが簡単な操作で容易に選択できるユーザインタフェース機能が要求される。
【０００７】
本発明は、上記に鑑みてなされたものであって、多種多様な機能の中から所望する任意の機能をユーザが簡単な操作で容易に選択できるユーザインタフェース機能を実現することを目的とする。
【課題を解決するための手段】
【０００８】
実施形態の映像表示装置は、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるメニュー画面表示手段と、前記メニュー画面に配置された前記選択要素に対する操作履歴から導かれる操作回数に応じた情報を記憶する履歴記憶手段と、を備え、前記メニュー画面表示手段は、少なくとも一の階層に配置される前記選択要素について、前記操作回数に応じた情報に従って配置する。
【０００９】
また、実施形態のメニュー画面表示方法は、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるステップと、前記メニュー画面に配置された前記選択要素に対する操作履歴から導かれる操作回数に応じた情報を記憶するステップと、を含み、前記メニュー画面を表示するステップは、少なくとも一の階層に配置される前記選択要素について、前記操作回数に応じた情報に従って配置する。
【図面の簡単な説明】
【００１０】
【図１】図１は、実施形態のデジタルテレビジョンの一例を示す外観斜視図である。
【図２】図２は、デジタルテレビジョンの信号処理系を示すブロック図である。
【図３】図３は、制御部が発揮する機能を示す機能ブロック図である。
【図４】図４は、リモートコントローラの外観を示す平面図である。
【図５】図５は、人物識別部における人物識別処理の流れを示すフローチャートである。
【図６】図６は、メイン処理の流れを示すフローチャートである。
【図７】図７は、ＩＤ変換処理の流れを示すフローチャートである。
【図８】図８は、ＩＤ比較処理の流れを示すフローチャートである。
【図９】図９は、メニュー画面表示処理の流れを示すフローチャートである。
【図１０】図１０は、ステップＳ４の処理の流れを示すフローチャートである。
【図１１】図１１は、メニュー画面の一例を示す正面図である。
【図１２】図１２は、メニュー分類アイコン群とメニューアイコン群との関係を示す図である。
【図１３】図１３は、メニュー画面の一例を示す正面図である。
【図１４】図１４は、メニュー画面の一例を示す正面図である。
【図１５】図１５は、メニュー画面の一例を示す正面図である。
【図１６】図１６は、遷移の一例を示す模式図である。
【図１７】図１７は、遷移の一例を示す模式図である。
【発明を実施するための形態】
【００１１】
図１は、実施形態にかかる映像表示装置であるデジタルテレビジョン１の一例を示す外観斜視図である。図１に示すように、デジタルテレビジョン１は、前方から見た正面視（前面に対する平面視）で、長方形状の外観を呈している。デジタルテレビジョン１は、筐体２と、ＬＣＤ（Liquid  Crystal  Display）パネル３を備えている。ＬＣＤパネル３は、後述する映像処理部２０（図２参照）から映像信号を受け取り、静止画や動画等の映像を表示する。また、筐体２は、支持部４に支持されている。
【００１２】
図２は、デジタルテレビジョン１の信号処理系を示すブロック図である。図２に示すように、デジタルテレビジョン１は、アンテナ１２で受信したデジタルテレビジョン放送信号を、入力端子１３を介して受信手段であるチューナ部１４に供給することにより、所望のチャンネルの放送信号を選局することが可能になっている。デジタルテレビジョン１は、チューナ部１４で選局された放送信号を、復調復号部１５に供給してデジタルの映像信号及び音声信号等に復元した後、入力信号処理部１６に出力する。なお、本実施の形態のデジタルテレビジョン１においては、デジタルテレビジョン放送信号を受信する受信手段であるチューナを３台有している場合（２台は地上デジタル放送受信用のチューナＡ１４１、チューナＢ１４２、他の１台はＢＳ／ＣＳデジタル放送受信用のチューナＣ１４３）を例にとって説明する。
【００１３】
入力信号処理部１６は、復調復号部１５から供給されたデジタルの映像信号及び音声信号に対してそれぞれ所定のデジタル信号処理を施す。
【００１４】
また、入力信号処理部１６は、チューナ部１４で選局された放送信号から番組名、出演者、開始時刻などのイベント情報を記述したテーブルであるＥＩＴ（Event  Information  Table）を分離する。入力信号処理部１６で分離されたＥＩＴは、番組表データとして制御部２３に入力される。ＥＩＴには、番組にかかるイベント情報である番組のタイトル情報やジャンル情報、出演者情報などの放送内容、放送日時などの番組に関連する情報が含まれている。
【００１５】
また、入力信号処理部１６は、デジタルの映像信号を合成処理部１７に出力し、デジタルの音声信号を音声処理部１８に出力している。このうち、合成処理部１７は、入力信号処理部１６から供給されるデジタルの映像信号に、ＯＳＤ（On  Screen  Display）信号生成部１９で生成される字幕、ＧＵＩ（Graphical  User  Interface）、ＯＳＤなどの重畳用映像信号であるＯＳＤ信号を重畳して出力している。この場合、合成処理部１７は、入力信号処理部１６から供給される映像信号にＯＳＤ信号生成部１９から供給されたＯＳＤ信号をそのまま重畳して出力している。
【００１６】
デジタルテレビジョン１は、合成処理部１７から出力したデジタルの映像信号を、映像処理部２０に供給する。映像処理部２０は、入力されたデジタルの映像信号を、出力部として機能するＬＣＤパネル３で表示可能なフォーマットのアナログ映像信号に変換している。デジタルテレビジョン１は、映像処理部２０から出力されたアナログ映像信号を、ＬＣＤパネル３に供給して映像出力に供する。
【００１７】
音声処理部１８は、入力されたデジタルの音声信号を、後段のスピーカ２２で再生可能なフォーマットのアナログ音声信号に変換している。そして、この音声処理部１８から出力されたアナログ音声信号が、スピーカ２２に供給されることにより音声再生に供される。
【００１８】
図２に示すように、上述した合成処理部１７と音声処理部１８とＯＳＤ信号生成部１９と映像処理部２０とは、出力信号処理部２１を構成している。
【００１９】
加えて、デジタルテレビジョン１は、図１に示すように、映像出力部として機能するＬＣＤパネル３の近傍にカメラ装置３７を搭載している。このカメラ装置３７は、デジタルテレビジョン１に対向する視聴者の顔を撮像可能な位置に設けられている。
【００２０】
ここで、デジタルテレビジョン１は、上記した各種の受信動作を含むその全ての動作を制御部２３によって統括的に制御している。この制御部２３は、ＣＰＵ（Central  Processing  Unit）２３ａを内蔵しており、デジタルテレビジョン１の本体に設置された操作装置である操作部２４からの操作情報を受けて、または、操作装置であるリモートコントローラ２５から送出され受信部２６で受信した操作情報を受けて、その操作内容が反映されるように各部をそれぞれ制御している。
【００２１】
また、制御部２３は、メモリ部２３ｂを内蔵している。メモリ部２３ｂは、主として、ＣＰＵ２３ａが実行する制御プログラムを格納したＲＯＭ（Read  Only  Memory）と、該ＣＰＵ２３ａに作業エリアを提供するためのＲＡＭ（Random  Access  Memory）と、各種の設定情報、制御情報及び操作部２４やリモートコントローラ２５からの操作情報等が格納される不揮発性メモリとを有している。
【００２２】
また、制御部２３には、ディスクドライブ部２７が接続されている。ディスクドライブ部２７は、例えばＤＶＤ（Digital  Versatile  Disk）等の光ディスク２８を着脱自在とするもので、装着された光ディスク２８に対してデジタルデータの記録再生を行なう機能を有している。
【００２３】
制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ディスクドライブ部２７に供給して光ディスク２８に記録させるように制御することができる。
【００２４】
また、制御部２３は、視聴者による操作部２４やリモートコントローラ２５の操作に基づいて、ディスクドライブ部２７により光ディスク２８からデジタルの映像信号及び音声信号を読み出させ、上記記録再生処理部２９によって復号化した後、入力信号処理部１６に供給することによって、以後、上記した映像表示及び音声再生に供させるように制御することができる。
【００２５】
制御部２３には、ＨＤＤ（Hard  Disk  Drive）３０が接続されている。制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ＨＤＤ３０に供給してハードディスク３０ａに記録させるように制御することができる。
【００２６】
また、制御部２３は、視聴者による操作部２４やリモートコントローラ２５の操作に基づいて、ＨＤＤ３０によりハードディスク３０ａからデジタルの映像信号及び音声信号を読み出させ、記録再生処理部２９によって復号化した後、入力信号処理部１６に供給することによって、以後、上記した映像表示及び音声再生に供させるように制御することができる。
【００２７】
また、ＨＤＤ３０は、ハードディスク３０ａに各種データを記憶することにより、番組表データベース（番組表ＤＢ）３０１およびメニュー情報データベース（メニュー情報ＤＢ）３０２、人物データベース（人物ＤＢ）３０４として機能する。番組表データベース３０１は、制御部２３の制御によって、入力信号処理部１６で分離されたＥＩＴである番組表データを記憶する。メニュー情報データベース３０２は、後述するデジタルテレビジョン１が有している様々な機能に関連付けられたアイコンを配置したメニュー画面Ｍ１（図１１参照）を構成するためのメニュー構成情報を記憶する。人物データベース（人物ＤＢ）３０４は、顔認識処理による人物の識別処理によって映像から抽出された人物データ（顔データ）と、その人物データのＩＤ（人物ＩＤ）とを対応付けて記憶する。
【００２８】
また、ＨＤＤ３０は、メニュー画面Ｍ１に配置されたアイコンに対する選択操作履歴から導かれる人物に応じた起動回数（操作回数）を、その起動回数（操作回数）が多い順にランキングし、人物に応じた操作回数に応じた情報として記憶する履歴記憶手段である起動履歴情報データベース３０３として機能する。
【００２９】
さらに、デジタルテレビジョン１には、入力端子３１が接続されている。入力端子３１は、デジタルテレビジョン１の外部からデジタルの映像信号及び音声信号を直接入力するためのものであり、ＬＡＮ端子、ＵＳＢ端子、ＨＤＭＩ端子などである。この入力端子３１を介して入力されたデジタルの映像信号及び音声信号は、制御部２３の制御に基づいて、記録再生処理部２９を介した後、入力信号処理部１６に供給されて、以後、上記した映像表示及び音声再生に供される。
【００３０】
また、入力端子３１を介して入力されたデジタルの映像信号及び音声信号は、制御部２３の制御に基づいて、記録再生処理部２９を介した後、ディスクドライブ部２７による光ディスク２８に対しての記録再生や、ＨＤＤ３０によるハードディスク３０ａに対しての記録再生に供される。
【００３１】
なお、制御部２３は、視聴者による操作部２４やリモートコントローラ２５の操作に基づいて、ディスクドライブ部２７とＨＤＤ３０との間で、光ディスク２８に記録されているデジタルの映像信号及び音声信号をハードディスク３０ａに記録したり、ハードディスク３０ａに記録されているデジタルの映像信号及び音声信号を光ディスク２８に記録したりすることも制御している。
【００３２】
また、制御部２３には、ネットワークインタフェース３２が接続されている。このネットワークインタフェース３２は、入出力端子３３を介して外部のネットワーク３４に接続されている。そして、このネットワーク３４には、当該ネットワーク３４を介した通信機能を利用して各種のサービスを提供するためのネットワークサーバ３５，３６が接続されている。このため、制御部２３は、ネットワークインタフェース３２、入出力端子３３及びネットワーク３４を介して、所望のネットワークサーバ３５，３６にアクセスして情報通信を行なうことにより、そこで提供しているサービスを利用することができるようになっている。なお、ネットワークインタフェース３２は、入出力端子３３を介してＳＤメモリーカードやＵＳＢ機器が接続されるものであっても良い。
【００３３】
制御部２３は、ＣＰＵ２３ａが制御プログラムに従って動作することによって、図３に示すように、メニュー画面表示手段として機能するメニュー画面表示処理部２３１と、リモートコントロール処理部２３２と、ネットワーク処理部２３３と、番組表処理部２３４と、撮像処理部２３５と、人物識別手段として機能する人物識別部２３６とを実現する。
【００３４】
ネットワーク処理部２３３は、入出力端子３３を介して外部のネットワーク３４に接続されているネットワークインタフェース３２を通じた通信を制御する。ネットワーク３４には、当該ネットワーク３４を介した通信機能を利用して各種のサービスを提供するための複数（図示の場合は２つ）のネットワークサーバ３５，３６が接続されている。このため、ネットワーク処理部２３３は、ネットワークインタフェース３２、入出力端子３３及びネットワーク３４を介して、所望のネットワークサーバ３５，３６にアクセスして情報通信を行なうことにより、そこで提供しているサービスを利用することができるようになっている。
【００３５】
撮像処理部２３５は、カメラ装置３７が撮影した映像を処理する。より詳細には、図３に示すように、デジタルテレビジョン１は、撮像処理部２３５の制御によってカメラ装置３７で撮影された視聴者画像を、人物識別部２３６に送る。
【００３６】
人物識別部２３６は、顔認識処理による映像からの人物データ（顔データ）の抽出と、顔識別処理による人物の識別処理を行なう。人物識別部２３６は、抽出した人物データ（顔データ）を人物データベース３０４と照合し、合致する人物データ（顔データ）があればその人物データのＩＤ（人物ＩＤ）をメニュー画面表示処理部２３１へ送る。人物識別部２３６は、合致する人物データ（顔データ）が無ければ抽出した人物データ（顔データ）を人物データベース３０４に登録し、人物ＩＤをメニュー画面表示処理部２３１へ送る。
【００３７】
番組表処理部２３４は、入力信号処理部１６で分離されたＥＩＴ（番組表データ）を取得して番組表データベース３０１に格納する。なお、ＥＩＴ（番組表データ）をネットワーク３４経由で取得するものであっても良い。ＥＩＴ（番組表データ）の取得先は、デジタルテレビジョン１のユーザ設定に従う。番組表処理部２３４は、ＥＩＴ（番組表データ）のキーワード検索機能を有しており、指定のキーワードと指定の一致率でＥＩＴ（番組表データ）を検索し、合致した番組に絞り込んで番組表データを番組表データベース３０１に供給することができる。
【００３８】
リモートコントロール処理部２３２は、リモートコントローラ２５から送出され受信部２６で受信したリモートコントロールコードに基づいて、電源オン／オフ、後述するメニュー選択、チューナ切替やチャンネル切替（チャンネルを繰り返し切り替えるような所謂ザッピング操作を含む）を入力信号処理部１６に指示する。なお、制御部２３は、デジタルテレビジョン１の本体に設置された操作部２４からの操作情報を受けても、その操作内容が反映されるように各部をそれぞれ制御する。
【００３９】
例えば、制御部２３は、視聴者による操作部２４やリモートコントローラ２５の操作に基づいて、復調復号部１５から得られるデジタルの映像信号及び音声信号を、記録再生処理部２９によって暗号化し所定の記録フォーマットに変換した後、ＨＤＤ３０に供給してハードディスク３０ａに記録させるように制御することができる。
【００４０】
メニュー画面表示処理部２３１は、リモートコントローラ２５から送出され受信部２６で受信したリモートコントロールコード（メニュー選択に対応した移動信号）に基づいてメニュー情報データベース３０２からメニュー構成情報、人物識別部２３６から人物ＩＤおよび起動履歴情報データベース３０３から人物ＩＤに基づく起動履歴情報である起動回数（操作回数）のランキングを取得して、ＧＵＩであるメニュー画面データを作成し、ＯＳＤ信号生成部１９に送る。
【００４１】
なお、起動履歴情報データベース３０３に記憶された起動履歴情報の値（ランキング）は、任意の値に編集可能となっている。このように起動履歴情報の値（ランキング）を編集可能とすることにより、仮に起動履歴が曖昧になった際は起動履歴情報を一度削除することができたり、ユーザ別（人物ＩＤ別）にカスタマイズしたりすることが可能になる。
【００４２】
すなわち、出力信号処理部２１は、入力信号処理部１６から送られる映像音声データと、メニュー画面表示処理部２３１で作成されたメニュー画面データおよび音声データを結合処理したのち、映像出力および音声出力にそれぞれのデータを送る。
【００４３】
図４は、リモートコントローラ２５の外観を示す平面図である。図４に示すように、リモートコントローラ２５には、主として、電源キー２５ａ、数字キー２５ｃ、チャンネルアップダウンキー２５ｄ、音量調整キー２５ｅ、カーソル上キー２５ｆ、カーソル下キー２５ｇ、カーソル左キー２５ｈ、カーソル右キー２５ｉ、決定キー２５ｊ、戻るキー２５ｌ、終了キー２５ｍ、４色（青，赤，緑，黄）のカラーキー２５ｎ等が設けられている。なお、カーソル上キー２５ｆ、カーソル下キー２５ｇ、カーソル左キー２５ｈ、カーソル右キー２５ｉは、いわゆる十字キー２５ｚとして形成されている。
【００４４】
また、リモートコントローラ２５には、再生停止キー２５ｏ、再生キー２５ｐ、逆方向スキップキー２５ｑ、順方向スキップキー２５ｒ、早戻しキー２５ｓ、早送りキー２５ｔ、一時停止キー２５ｕ等が設けられている。
【００４５】
すなわち、デジタルテレビジョン１は、ディスクドライブ部２７やＨＤＤ３０から取得した映像や音声等の情報に対しては、リモートコントローラ２５の再生停止キー２５ｏや再生キー２５ｐ、一時停止キー２５ｕを操作することにより、再生、停止、一時停止を行なうことが可能となる。また、デジタルテレビジョン１は、リモートコントローラ２５の逆方向スキップキー２５ｑや順方向スキップキー２５ｒを操作することにより、ディスクドライブ部２７やＨＤＤ３０で再生している映像や音声等の情報を、その再生方向に対して逆方向や順方向に一定量ずつスキップさせる、いわゆる、逆方向スキップや順方向スキップを行なうことができる。さらに、デジタルテレビジョン１は、リモートコントローラ２５の早戻しキー２５ｓや早送りキー２５ｔ等を操作することにより、ディスクドライブ部２７やＨＤＤ３０で再生している映像や音声等の情報を、その再生方向に対して逆方向や順方向に連続的に高速で再生させる、いわゆる、早戻し再生や早送り再生を行なうことができる。
【００４６】
また、リモートコントローラ２５には、メニューキー２５ｂ、ブロードバンドキー２５ｋ、今すぐニュースキー２５ｖ、録画リストキー２５ｗ、番組表キー２５ｘ、ミニ番組表キー２５ｙが設けられている。
【００４７】
メニューキー２５ｂは、詳細は後述するが、デジタルテレビジョン１が有している様々な機能のメニュー画面を表示させるためのキーである。
【００４８】
ブロードバンドキー２５ｋは、情報検索や動画サービス等のブロードバンド機能の各種ブラウザを起動するためのキーである。今すぐニュースキー２５ｖは、ＨＤＤ３０に自動録画された最新のニュースを見るためのキーである。録画リストキー２５ｗは、ＨＤＤ３０に録画した番組を見たり消したりするための録画リストを表示するためのキーである。なお、録画リストからネットワークサーバ３５，３６に記憶された動画の再生も可能である。
【００４９】
番組表キー２５ｘは、番組の視聴・録画・予約を行わせるために番組表Ｘを表示させるためのキーである。ミニ番組表キー２５ｙは、番組が表示された画面の下側に、番組の視聴・録画・予約を行わせるためにミニ番組表を表示させるためのキーである。
【００５０】
次に、映像出力装置であるデジタルテレビジョン１の特徴的な機能を発揮する人物識別部２３６と、メニュー画面表示処理部２３１とにおける処理について詳述する。なお、人物識別部２３６における処理と、メニュー画面表示処理部２３１における処理とは、それぞれ別プロセスで実行される。
【００５１】
まず、映像出力装置であるデジタルテレビジョン１の特徴的な機能を発揮する人物識別部２３６における人物識別処理について図５ないし図８のフローチャートを参照して説明する。
【００５２】
図５に示すように、電源がＯＮされると、人物識別部２３６は、新ＩＤ配列および旧ＩＤ配列を初期化するとともに、カメラ装置３７の撮影準備を実行する（ステップＳ１）。ここで、新ＩＤ配列は、現時点でデジタルテレビジョン１を視聴している人物の人物ＩＤを列挙している配列である。また、旧ＩＤ配列は、過去（例えば、１分前）の時点でデジタルテレビジョン１を視聴している人物の人物ＩＤを列挙している配列である。これら新ＩＤ配列や旧ＩＤ配列は、メモリ部２３ｂのＲＡＭに格納されている。
【００５３】
次いで、人物識別部２３６は、カメラ装置３７の準備が整うまで（ステップＳ２のＹｅｓ）、一定時間待機する（ステップＳ３）。
【００５４】
カメラ装置３７の準備が整うと（ステップＳ２のＹｅｓ）、人物識別部２３６は、電源がＯＦＦなどによる停止指示があるまで（ステップＳ５のＹｅｓ）、メイン処理を実行する（ステップＳ４）。
【００５５】
図６のメイン処理のフローチャートに示すように、人物識別部２３６は、カメラ装置３７の準備が整うと（ステップＳ２のＹｅｓ）、旧ＩＤ配列へ新ＩＤ配列をコピーし（ステップＳ１１）、新ＩＤ配列を初期化する（ステップＳ１２）。
【００５６】
次いで、人物識別部２３６は、カメラ装置３７で撮影された視聴者画像（映像）を取得し（ステップＳ１３）、視聴者画像（映像）から顔認識処理による人物データ（顔データ）の抽出を行った後（ステップＳ１４）、ＩＤ変換処理を実行する（ステップＳ１５）。
【００５７】
図７のＩＤ変換処理のフローチャートに示すように、人物識別部２３６は、顔認識処理の結果として人物データ（顔データ）を取得し（ステップＳ２１）、取得した人物データ（顔データ）について、人物データベース３０４から人物データ（顔データ）を取得し（ステップＳ２２）、１件ずつ顔識別処理を実行する（ステップＳ２３）。
【００５８】
人物識別部２３６は、ステップＳ２３の顔識別処理の結果、取得した人物データ（顔データ）が人物データベース３０４に無い場合には（ステップＳ２４のＮｏ）、人物データベース３０４に無い人物データ（顔データ）を人物データベース３０４に登録するとともに（ステップＳ２５）、人物データベース３０４から人物データ（顔データ）を登録した人物の人物ＩＤを取得する（ステップＳ２６）。
【００５９】
一方、取得した人物データ（顔データ）が人物データベース３０４にある場合には（ステップＳ２４のＹｅｓ）、人物識別部２３６は、人物データベース３０４から人物データ（顔データ）と合致する人物ＩＤを取得する（ステップＳ２７）。
【００６０】
次いで、人物識別部２３６は、旧ＩＤ配列から人物ＩＤを取得し（ステップＳ２８）、ステップＳ２６またはステップＳ２７で取得した人物ＩＤと一致しない場合、すなわちステップＳ２６またはステップＳ２７で取得した人物ＩＤが前回の人物認識処理で認識しなかった人物ＩＤであれば（ステップＳ２９のＮｏ）、この人物が視聴を始めたものとして、その人物ＩＤでの開始要求をメニュー画面表示処理部２３１へ送り（ステップＳ３０）、新ＩＤ配列へ人物ＩＤを代入する（ステップＳ３１）。このように人物識別部２３６において認識した人物が人物データベース３０４に未登録の場合には、人物識別部２３６は、その人物データを人物データベース３０４に登録することによって、登録済みとなった人物データ（顔データ）のキーとなる人物ＩＤを人物データベース３０４から取得し、そのキーとなる人物ＩＤをメニュー画面表示処理部２３１へ送ることで、その人物に応じたメニュー画面表示処理を実行させるようにしている。
【００６１】
一方、ステップＳ２６またはステップＳ２７で取得した人物ＩＤと一致する場合、すなわち前回の人物認識処理で認識していた人物ＩＤを今回認識しなかった場合は（ステップＳ２９のＹｅｓ）、そのまま新ＩＤ配列へ人物ＩＤを代入する（ステップＳ３１）。
【００６２】
図６に戻り、ステップＳ１５のＩＤ変換処理が終了すると、人物識別部２３６は、ＩＤ比較処理を実行する（ステップＳ１６）。具体的には、図８のＩＤ比較処理のフローチャートに示すように、人物識別部２３６は、旧ＩＤ配列から人物ＩＤを取得するとともに（ステップＳ４１）、新ＩＤ配列から人物ＩＤを取得し（ステップＳ４２）、前回の人物認識処理で認識していた人物ＩＤを今回認識しなかった場合は（ステップＳ４３のＮｏ）、この人物が視聴を終了したものとして、その人物ＩＤの終了要求をメニュー画面表示処理部２３１へそれぞれ送る（ステップＳ４４）。このように人物識別部２３６は、認識していた人物が認識できなくなった場合には、その人物が視聴をやめたとみなして、その人物の人物データのキーとなる人物ＩＤをメニュー画面表示処理部２３１へ送ることで、その人物に応じたメニュー画面表示処理を終了させるようにしている。
【００６３】
人物識別部２３６は、このようにしてメイン処理を実行し（ステップＳ４）、停止指示があった場合には（ステップＳ５のＹｅｓ）、終了処理を実行する（ステップＳ６）。
【００６４】
以上のように、人物識別部２３６による人物認識処理では、カメラ装置３７が撮影した映像を入手して顔認識処理を行ない、人物データ（顔データ）を取得する。取得した人物データ（顔データ）を１件ずつ顔識別処理に渡して、人物データベース３０４に無い人物データ（顔データ）は人物データベース３０４に登録する。そうして人物データ（顔データ）と合致する人物ＩＤを取得し、それが前回の人物認識処理で認識しなかった人物ＩＤであれば、その人物ＩＤでの開始要求をメニュー画面表示処理部２３１へ送る。逆に、前回の人物認識処理で認識していた人物ＩＤを今回認識しなかった場合は、その人物ＩＤの終了要求をメニュー画面表示処理部２３１へ送る。これにより、人物識別部２３６は、新しく認識した人物に応じたメニュー画面表示処理の開始を、認識しなくなった人物にはメニュー画面表示処理の終了を行なう。
【００６５】
次に、映像表示装置であるデジタルテレビジョン１の特徴的な機能を発揮するメニュー画面表示処理部２３１におけるメニュー画面表示処理について図９のフローチャートを参照して説明する。
【００６６】
図９に示すように、制御部２３（メニュー画面表示処理部２３１）は、ユーザによるリモートコントローラ２５のメニューキー２５ｂの選択操作があったと判定すると（ステップＳ１０１のＹｅｓ）、メニュー画面表示を実行する（ステップＳ１０４）。
【００６７】
ここで、ステップＳ１０４のメニュー画面表示について、図１０のフローチャートを参照して説明する。図１０に示すように、制御部２３（メニュー画面表示処理部２３１）は、メニュー情報データベース３０２からメニュー構成情報を取得するとともに（ステップＳ１０４１）、起動履歴情報データベース３０３から起動履歴情報を取得し（ステップＳ１０４２）、メニュー構成情報および起動履歴情報に基づいてメニュー画面を表示するためのメニュー画面表示情報を生成し（ステップＳ１０４３）、生成したメニュー画面表示情報を出力信号処理部２１に出力する（ステップＳ１０４４）。
【００６８】
これに対応して、出力信号処理部２１は、メニュー画面表示情報をＬＣＤパネル３へ出力し、その結果、ＬＣＤパネル３は、図１１に示すようなメニュー画面Ｍ１を表示する。
【００６９】
メニュー画面Ｍ１は、コンテンツ（例えば動画）の再生画面Ｃに重ねられて表示される。コンテンツは、チューナ部１４を介して受信しているコンテンツであってもよいし、ＨＤＤ３０に記憶されたコンテンツ等であってもよい。
【００７０】
図１１に示すように、メニュー画面Ｍ１は、コンテンツの再生画面Ｃの下部に、様々なサイズで表示された上位階層（第１階層）であってメニュー分類を表すアイコン（選択要素）で形成されるメニュー分類アイコン群（分類選択要素群）ＩＡと、各メニュー分類に対応する機能を表すアイコン（選択要素）で形成される下位階層（第２階層）である複数のメニューアイコン群（機能選択要素群）ＩＢとを含んでいる。なお、メニュー画面Ｍ１は、コンテンツの再生画面Ｃと区別してアイコンを見易くするために、メニュー分類アイコン群ＩＡおよびメニューアイコン群ＩＢの背景ＢＧを暗色で形成している。なお、選択要素は、アイコンに限るものではなく、メニュー分類や各メニュー分類に対応する機能を表すものであれば、他の画像や文字等であっても良い。
【００７１】
ここで、図１２は上位階層（第１階層）であるメニュー分類アイコン群ＩＡと、下位階層（第２階層）であるメニューアイコン群ＩＢとの関係を示す図である。
【００７２】
メニュー分類アイコン群ＩＡは、例えば、「ブロードバンド」アイコン５０、「録る」アイコン６０、「見る」アイコン７０、「メディアプレーヤー」アイコン８０、「入力切換」アイコン９０を含んでいる。
【００７３】
「ブロードバンド」アイコン５０は、例えば複数のネットワークサービスに対応した複数のネットワークアプリケーション（ブラウザ）を起動するためのメニュー分類を表すショートカットアイコンである。
【００７４】
「録る」アイコン６０は、コンテンツを録画・予約するためのメニュー分類を表すショートカットアイコンである。
【００７５】
「見る」アイコン７０は、コンテンツを視聴するためのメニュー分類を表すショートカットアイコンである。
【００７６】
「メディアプレーヤー」アイコン８０は、例えばＳＤメモリーカード、ＵＳＢ機器、ネットワークサーバ３５，３６等に記憶された動画・写真・音楽の再生に対応した複数の再生アプリケーションを起動するためのメニュー分類を表すショートカットアイコンである。
【００７７】
「入力切換」アイコン９０は、入力端子３１を切り換えるためのメニュー分類を表すショートカットアイコンである。
【００７８】
例えば図１１に示すメニュー分類アイコン群ＩＡにおいては、メニュー構成情報に含まれるアイコン（メニュー画面Ｍ１に表示される機能を表すアイコン）について起動履歴情報データベース３０３に記憶されている人物に応じた起動履歴情報である起動回数を参照し、起動履歴情報のランキングが最も高いもの（起動回数が最も多いもの）を中心に配置する。例えば図１１に示すメニュー分類アイコン群ＩＡにおいては、人物に応じた起動履歴情報のランキングが最も高い「見る」アイコン７０が選択中となっており、選択中の「見る」アイコン７０は第１のサイズを更に拡大して表示されるとともに背景を明るくした強調表示とされ、人物に応じた起動履歴情報のランキングが最も高い選択中アイコンの右隣に位置する２番目に人物に応じた起動履歴情報のランキングが高い選択候補（非選択中）の「録る」アイコン６０は第１のサイズより小さい第２のサイズで表示され、人物に応じた起動履歴情報のランキングが最も高い選択中アイコンの左隣に位置する３番目に人物に応じた起動履歴情報のランキングが高い選択候補（非選択中）の「ブロードバンド」アイコン５０も第１のサイズより小さい第２のサイズで表示され、２番目の選択候補アイコンの右隣に位置する４番目に人物に応じた起動履歴情報のランキングが高い選択候補（非選択中）の「メディアプレーヤー」アイコン８０は第２のサイズよりさらに小さい第３のサイズで表示され、３番目の選択候補アイコンの左隣に位置する５番目に人物に応じた起動履歴情報のランキングが高い選択候補（非選択中）の「入力切換」アイコン９０も第２のサイズよりさらに小さい第３のサイズで表示される。なお、人物に応じた起動履歴情報のランキングが最も高いアイコン（起動回数が最も多いアイコン）の近くに選択回数の多い順にその他のアイコンを配置するようにしたのは、ユーザは同じ操作をする確率が高く、これにより多種多様な機能の中から所望する任意の機能をユーザが簡単な操作で容易に選択することができるようになるからである。
【００７９】
図１１に示すメニューアイコン群ＩＢは、メニュー分類アイコン群ＩＡにおいて「見る」アイコン７０が選択されている例を示すものである。「見る」アイコン７０の選択中においては、メニューアイコン群ＩＢとして、「録画リスト」アイコン７１、「番組表」アイコン７２、「ミニ番組表」アイコン７３、「今すぐニュース」アイコン７４を含んでいる。
【００８０】
「録画リスト」アイコン７１は、ＨＤＤ３０に録画した番組を見たり消したりするための録画リストを表示するためのアイコンであって、録画リストキー２５ｗと同じ機能を有している。
【００８１】
「番組表」アイコン７２は、番組の視聴・録画・予約を行わせるために番組表Ｘを表示させるためのアイコンであって、番組表キー２５ｘと同じ機能を有している。
【００８２】
「ミニ番組表」アイコン７３は、コンテンツの再生画面Ｃの下側に、番組の視聴・録画・予約を行わせるためにミニ番組表を表示させるためのアイコンであって、ミニ番組表キー２５ｙと同じ機能を有している。
【００８３】
「今すぐニュース」アイコン７４は、ＨＤＤ３０に自動録画された最新のニュースを見るためのアイコンであって、今すぐニュースキー２５ｖと同じ機能を有している。
【００８４】
例えば図１１に示すメニューアイコン群ＩＢにおいては、メニュー構成情報に含まれるアイコン（メニュー画面Ｍ１に表示される機能を表すアイコン）について起動履歴情報データベース３０３に記憶されている人物に応じた起動履歴情報を参照し、人物に応じた起動履歴情報のランキングが最も高いもの（起動回数が最も多いもの）を中心に配置する。例えば図１１に示すメニューアイコン群ＩＢにおいては、人物に応じた起動履歴情報のランキングが最も高い「番組表」アイコン７２は第１のサイズで表示され、人物に応じた起動履歴情報のランキングが最も高いアイコンの右隣に位置する２番目に人物に応じた起動履歴情報のランキングが高い選択候補（非選択中）の「ミニ番組表」アイコン７３は第１のサイズより小さい第２のサイズで表示され、人物に応じた起動履歴情報のランキングが最も高いアイコンの左隣に位置する３番目に人物に応じた起動履歴情報のランキングが高い選択候補（非選択中）の「録画リスト」アイコン７１も第１のサイズより小さい第２のサイズで表示され、２番目に人物に応じた起動履歴情報のランキングが高い選択候補アイコンの右隣に位置する４番目に人物に応じた起動履歴情報のランキングが高い選択候補（非選択中）の「今すぐニュース」アイコン７４は第２のサイズよりさらに小さい第３のサイズで表示される。なお、このように人物に応じて操作回数が最も多いものを中心に配置するのは、メニュー分類アイコン群ＩＡとメニューアイコン群ＩＢとの少なくとも何れか一方の階層のみでもよい。
【００８５】
また、デジタルテレビジョン１においては、メニュー分類アイコン群ＩＡとして、「よく使うナビ」アイコン１００が含まれている。「よく使うナビ」アイコン１００は、起動選択された回数の多い機能を同一の階層でまとめて表示するためのメニュー分類を表すショートカットアイコンである。この「よく使うナビ」アイコン１００が、上述した「ブロードバンド」アイコン５０、「録る」アイコン６０、「見る」アイコン７０、「メディアプレーヤー」アイコン８０、「入力切換」アイコン９０と異なる点は、次の通りである。上述した「ブロードバンド」アイコン５０などは、図１２に示したように、上位階層（第１階層）であるメニュー分類アイコン群ＩＡに対して、下位階層（第２階層）であるメニューアイコン群ＩＢが予め定義されている。一方、「よく使うナビ」アイコン１００は、ＨＤＤ３０の起動履歴情報データベース３０３に記憶された起動履歴情報に基づいて、下位階層（第２階層）であるメニューアイコン群ＩＢが決定される点で異なるものとなっている。
【００８６】
ここで、図１３はメニュー画面の一例を示す正面図である。図１３に示すメニューアイコン群ＩＢは、メニュー分類アイコン群ＩＡにおいて「よく使うナビ」アイコン１００が選択されている例を示すものである。「よく使うナビ」アイコン１００の選択中においては、メニューアイコン群ＩＢとして、「機能設定」アイコン１０１、「スピーカ切替」アイコン１０２、「写真」アイコン１０３、「予約リスト」アイコン１０４、「番組表」アイコン１０５を含んでいる。
【００８７】
例えば図１３に示すメニューアイコン群ＩＢにおいては、メニュー構成情報に含まれるアイコン（メニュー画面Ｍ１に表示される機能を表すアイコン）について起動履歴情報データベース３０３に記憶されている人物に応じた起動履歴情報を参照し、人物に応じた起動履歴情報のランキングが最も高いもの（起動回数が最も多いもの）を中心に配置する。例えば図１３に示すメニューアイコン群ＩＢにおいては、人物に応じた起動履歴情報のランキングが最も高い「機能設定」アイコン１０１は第１のサイズで表示され、起動履歴情報のランキングが最も高いアイコンの右隣に位置する２番目に人物に応じた起動履歴情報のランキングが高い選択候補（非選択中）の「スピーカ切替」アイコン１０２は第１のサイズより小さい第２のサイズで表示され、起動履歴情報のランキングが最も高いアイコンの左隣に位置する３番目に人物に応じた起動履歴情報のランキングが高い選択候補（非選択中）の「写真」アイコン１０３も第１のサイズより小さい第２のサイズで表示され、２番目に起動履歴情報のランキングが高い選択候補アイコンの右隣に位置する４番目に人物に応じた起動履歴情報のランキングが高い選択候補（非選択中）の「予約リスト」アイコン１０４は第２のサイズよりさらに小さい第３のサイズで表示され、３番目に起動履歴情報のランキングが高い選択候補アイコンの左隣に位置する５番目に人物に応じた起動履歴情報のランキングが高い選択候補（非選択中）の「番組表」アイコン１０５も第２のサイズよりさらに小さい第３のサイズで表示される。
【００８８】
図１１および図１３に示すメニュー画面Ｍ１においては、リモートコントローラ２５の十字キー２５ｚにおけるカーソル左キー２５ｈまたはカーソル右キー２５ｉの操作によって（ステップＳ１０５のＮｏ、ステップＳ１０６のＹｅｓ）、メニュー分類アイコン群ＩＡのアイコンのフォーカス先を移動することができる（ステップＳ１０７）。具体的には、リモートコントローラ２５は、十字キー２５ｚの操作（メニュー選択）に対応した移動信号（リモートコントロールコード）を出力する。リモートコントロール処理部２３２は、移動信号を受信し、メニュー画面表示処理部２３１は、移動信号に基づきアイコンのフォーカス先の移動を制御する。
【００８９】
図１４は、リモートコントローラ２５の十字キー２５ｚにおけるカーソル左キー２５ｈの操作によって、フォーカス先を図１１に示した「見る」アイコン７０から「ブロードバンド」アイコン５０に移動させたものである。図１４に示すように新たに選択された「ブロードバンド」アイコン５０は第１のサイズを更に拡大して表示されるとともに背景を明るくした強調表示とされる。
【００９０】
また、図１４に示すように、メニュー分類アイコン群ＩＡにおいて「ブロードバンド」アイコン５０の選択中においては、メニューアイコン群ＩＢとして、「ヤッホーＪＡＰＡＮ」アイコン５１、「トビラ」アイコン５２、「ひかりテレビ」アイコン５３、「ｔｕｂｅ」アイコン５４、「インターネット」アイコン５５を含んでおり、人物に応じた起動履歴情報のランキングが最も高い「トビラ」アイコン５２の近くに選択回数の多い順にその他のアイコンが配置されている。なお、「ブロードバンド」アイコン５０については計７個のメニューが対応付けられているが、メニュー画面表示処理部２３１は、メニューアイコン群ＩＢの表示数（ここでは、“５”とする）内で計７個のメニューをサイクリック表示する。なお、メニュー画面Ｍ１で表示するメニューアイコン群ＩＢの表示数（機能の数）は任意に設定することができる。
【００９１】
また、図１１に示すメニュー画面Ｍ１においては、リモートコントローラ２５の十字キー２５ｚにおけるカーソル上キー２５ｆの操作によって（ステップＳ１０５のＮｏ、ステップＳ１０６のＹｅｓ）、メニュー分類アイコン群ＩＡからメニューアイコン群ＩＢのアイコンへフォーカス先を移動することができる（ステップＳ１０７）。
【００９２】
図１５は、リモートコントローラ２５の十字キー２５ｚにおけるカーソル上キー２５ｆの操作によって、フォーカス先を図１１に示した「見る」アイコン７０からメニューアイコン群ＩＢの「番組表」アイコン７２に移動させたものである。図１５に示すように新たに選択された「番組表」アイコン７２は第１のサイズを更に拡大して表示されるとともに背景を明るくした強調表示とされる。また、「見る」アイコン７０は、第１のサイズに縮小されて表示されるとともに背景をやや明るくした表示とされる。
【００９３】
加えて、制御部２３（メニュー画面表示処理部２３１）は、ユーザによるリモートコントローラ２５のブロードバンドキー２５ｋである第１階層のダイレクトキーの選択操作に対応して（ステップＳ１０２のＹｅｓ）、メニュー画面を表示するためのメニュー画面表示情報をメニュー構成情報に基づいて生成し、出力信号処理部２１に出力する（ステップＳ１０９）。この場合、ブロードバンドキー２５ｋは、情報検索や動画サービス等のブロードバンド機能の各種ブラウザを起動するためのキーであり、図１２に示した第１階層の特定機能を表すものである。すなわち、リモートコントローラ２５のブロードバンドキー２５ｋの選択操作により、制御部２３（メニュー画面表示処理部２３１）は、図１４に示したようなメニュー画面Ｍ１を表示するメニュー画面表示情報を生成する。ブロードバンドキー２５ｋの選択操作により表示されるメニュー画面Ｍ１は、図１４に示すように、「ブロードバンド」アイコン５０が第１のサイズを更に拡大して表示されるとともに背景を明るくした強調表示とされる。
【００９４】
図１６は、メニューキー２５ｂおよび十字キー２５ｚによる１階層目の特定の機能への遷移とダイレクトキーによる１階層目の特定の機能への遷移との一例を示す模式図である。
【００９５】
図１５に示したように第２階層のメニューアイコンが選択された状態のメニュー画面Ｍ１において、リモートコントローラ２５の決定キー２５ｊが操作されると（ステップＳ１０５のＹｅｓ）、フォーカスのあたっているアイコンの機能の起動が指示される（ステップＳ１０８）。図１５においては、「番組表」アイコン７２にフォーカスがあたっているので、出力信号処理部２１は、番組表データベース３０１に記憶されている番組表データに基づく番組表ＸをＬＣＤパネル３に表示する。
【００９６】
なお、図１５に示したように第２階層のメニューアイコンが選択された状態のメニュー画面Ｍ１において、第１階層のメニュー分類アイコン群ＩＡのメニュー分類の選択に戻りたい場合には、リモートコントローラ２５の十字キー２５ｚにおけるカーソル下キー２５ｇを操作すればよい（ステップＳ１０６のＹｅｓ）。
【００９７】
加えて、制御部２３は、ユーザによるリモートコントローラ２５の今すぐニュースキー２５ｖ、録画リストキー２５ｗ、番組表キー２５ｘ、ミニ番組表キー２５ｙなど第２階層のダイレクトキーの選択操作に対応して（ステップＳ１０３のＹｅｓ）、各キーに対応する機能の起動を指示する（ステップＳ１１０）。この場合、今すぐニュースキー２５ｖ、録画リストキー２５ｗ、番組表キー２５ｘ、ミニ番組表キー２５ｙなどは、各キーに対応する機能の起動を指示するためのキーであり、図１２に示した第２階層の特定機能を表すものである。例えば、リモートコントローラ２５の番組表キー２５ｘの選択操作により、出力信号処理部２１は、番組表データベース３０１に記憶されている番組表データに基づく番組表ＸをＬＣＤパネル３に表示する。
【００９８】
図１７は、メニューキー２５ｂおよび十字キー２５ｚによる２階層目の特定の機能への遷移とダイレクトキーによる２階層目の特定の機能への遷移との一例を示す模式図である。
【００９９】
最後に、制御部２３（メニュー画面表示処理部２３１）は、ステップＳ１０８またはステップＳ１１０において起動が指示された機能について、ＨＤＤ３０の起動履歴情報データベース３０３に記憶された人物に応じた起動履歴情報に対して起動回数（操作回数）を１回だけ加算して（ステップＳ１１１）、処理を終了する。なお、制御部２３（メニュー画面表示処理部２３１）は、加算の際に、メニュー画面Ｍ１に配置されたアイコンに対する選択操作履歴から導かれる人物に応じた起動回数（操作回数）を、その起動回数（操作回数）が多い順にランキングする。
【０１００】
このように実施形態の映像表示装置であるデジタルテレビジョン１によれば、映像表示にかかる各種機能の分類を表すアイコンを階層的に配置し、操作装置の操作によって任意の機能を表すアイコンを選択可能なメニュー画面Ｍ１を表示させるメニュー画面表示手段として機能するメニュー画面表示部２３１と、メニュー画面Ｍ１に配置されたアイコンに対する操作履歴から導かれる操作回数に応じた情報を記憶する起動履歴情報データベース３０３と、を備え、メニュー画面表示部２３１は、少なくとも一の階層に配置される選択要素について、操作回数に応じた情報に従って配置することにより、多種多様な機能の中から所望する任意の機能を階層化されたメニュー画面Ｍ１からユーザが簡単な操作で容易に選択できるユーザインタフェース機能を実現することができる。
【０１０１】
また、実施形態の映像表示装置であるデジタルテレビジョン１によれば、機能の使用頻度を記録することでよく使う機能をまとめてメニューで表示できる。
【０１０２】
さらに、実施形態の映像表示装置であるデジタルテレビジョン１によれば、機能の使用頻度の一番多いものを必ずフォーカスし、またそのフォーカスから選択ステップの少ない場所に使用頻度の多い順に機能を備えることで、ユーザの使い勝手を向上させることができる。
【０１０３】
さらにまた、実施形態の映像表示装置であるデジタルテレビジョン１によれば、カメラ装置３７を用いてユーザを識別してユーザ別の使用頻度を把握し、ユーザ別に使用履歴優先表示を変更することにより、家族で使用した場合にも使用履歴の情報が曖昧になることを防ぐことが可能になる。なお、本実施形態においてはユーザ識別を顔認識処理による映像からの人物データ（顔データ）の抽出と、顔識別処理による人物の識別処理とに基づいて実行するようにしたが、これに限るものではなく、各ユーザに一意に割り当てられるＩＤを付したＩＤカードを読み取るなどしてユーザ識別を行うようにしても良いし、各ユーザに一意に割り当てられるＩＤを手入力するものであっても良い。
【０１０４】
また、実施形態の映像表示装置であるデジタルテレビジョン１によれば、下位階層のアイコンにより表示される機能のいずれかに割り付けられた操作装置におけるダイレクトキーから信号を受信した場合、当該ダイレクトキーに割り付けられた機能の起動を指示するようにしたことにより、従来のようにダイレクトキーによる操作に慣れたユーザにとっても機能を容易に選択できるユーザインタフェース機能を実現することができる。
【０１０５】
なお、本実施形態の映像表示装置であるデジタルテレビジョン１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０６】
さらに、本実施形態の映像表示装置であるデジタルテレビジョン１で実行される制御プログラムを、インターネット等のネットワークに接続されたコンピュータ上に格納し、ネットワーク経由でダウンロードさせることにより提供するように構成しても良い。また、本実施形態の映像表示装置であるデジタルテレビジョン１で実行される制御プログラムをインターネット等のネットワーク経由で提供または配布するように構成しても良い。
【０１０７】
本実施形態の映像表示装置であるデジタルテレビジョン１で実行されるプログラムは、上述した各部（メニュー画面表示処理部２３１、リモートコントロール処理部２３２、ネットワーク処理部２３３、番組表処理部２３４、撮像処理部２３５、人物識別部２３６）を含むモジュール構成となっており、実際のハードウェアとしてはＣＰＵ（プロセッサ）が上記ＲＯＭから制御プログラムを読み出して実行することにより上記各部が主記憶装置上にロードされ、メニュー画面表示処理部２３１、リモートコントロール処理部２３２、ネットワーク処理部２３３、番組表処理部２３４、撮像処理部２３５、人物識別部２３６がＲＡＭ上に生成されるようになっている。
【０１０８】
また、本実施形態では、映像表示装置としてデジタルテレビジョン１に適用した例をあげて説明したが、例えば、ＨＤＤレコーダ、チューナ、セットトップボックス等にも映像出力装置を適用することができる。
【０１０９】
なお、上記実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【０１１０】
１        映像表示装置
２４、２５    操作装置
２３１    メニュー画面表示手段
２３６    人物識別手段
３０３    履歴記憶手段
Ｍ１      メニュー画面
【図１】
2012234341.tif 000003
【図２】
2012234341.tif 000004
【図３】
2012234341.tif 000005
【図４】
2012234341.tif 000006
【図５】
2012234341.tif 000007
【図６】
2012234341.tif 000008
【図７】
2012234341.tif 000009
【図８】
2012234341.tif 000010
【図９】
2012234341.tif 000011
【図１０】
2012234341.tif 000012
【図１１】
2012234341.tif 000013
【図１２】
2012234341.tif 000014
【図１３】
2012234341.tif 000015
【図１４】
2012234341.tif 000016
【図１５】
2012234341.tif 000017
【図１６】
2012234341.tif 000018
【図１７】
2012234341.tif 000019
【手続補正書】
【提出日】平成24年7月27日(2012.7.27)
【手続補正１】
【補正対象書類名】明細書
【補正対象項目名】０００８
【補正方法】変更
【補正の内容】
【０００８】
実施形態の映像表示装置は、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるメニュー画面表示手段と、前記メニュー画面に配置された前記選択要素に対する操作履歴から導かれる操作回数に応じた情報を記憶する履歴記憶手段と、を備え、前記メニュー画面表示手段は、機能分類に関わらず前記操作回数が多い機能を前記機能選択要素群でまとめて表示するための選択要素を前記分類選択要素群に表示するとともに、少なくとも一の階層に配置される前記選択要素について、前記操作回数が最も多い前記選択要素をフォーカスし、フォーカスされた前記選択要素から前記操作回数の多さに基づいて他の前記選択要素を配置する。
【手続補正２】
【補正対象書類名】明細書
【補正対象項目名】０００９
【補正方法】変更
【補正の内容】
【０００９】
また、実施形態のメニュー画面表示方法は、映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるステップと、前記メニュー画面に配置された前記選択要素に対する操作履歴から導かれる操作回数に応じた情報を記憶するステップと、を含み、前記メニュー画面を表示するステップは、機能分類に関わらず前記操作回数が多い機能を前記機能選択要素群でまとめて表示するための選択要素を前記分類選択要素群に表示するとともに、少なくとも一の階層に配置される前記選択要素について、前記操作回数が最も多い前記選択要素をフォーカスし、フォーカスされた前記選択要素から前記操作回数の多さに基づいて他の前記選択要素を配置する。
【手続補正３】
【補正対象書類名】特許請求の範囲
【補正対象項目名】全文
【補正方法】変更
【補正の内容】
【特許請求の範囲】
【請求項１】
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるメニュー画面表示手段と、
前記メニュー画面に配置された前記選択要素に対する操作履歴から導かれる操作回数に応じた情報を記憶する履歴記憶手段と、
を備え、
前記メニュー画面表示手段は、機能分類に関わらず前記操作回数が多い機能を前記機能選択要素群でまとめて表示するための選択要素を前記分類選択要素群に表示するとともに、少なくとも一の階層に配置される前記選択要素について、前記操作回数が最も多い前記選択要素をフォーカスし、フォーカスされた前記選択要素から前記操作回数の多さに基づいて他の前記選択要素を配置する、
映像表示装置。
【請求項２】
前記メニュー画面に配置された前記選択要素に対する操作を行う人物を識別する人物識別手段を更に備え、
前記履歴記憶手段は、前記人物識別手段によって識別された前記人物に対応付けて前記選択要素に対する操作によって選択された機能についてランキングを生成して前記操作回数に応じた情報として記憶する、
請求項１記載の映像表示装置。
【請求項３】
前記メニュー画面表示手段は、前記分類選択要素群と前記機能選択要素群との何れにおいても、選択された前記選択要素のサイズを他の前記選択要素のサイズよりも大きく表示する、
請求項１または２記載の映像表示装置。
【請求項４】
前記メニュー画面表示手段は、一の階層における前記選択要素の数について、任意の数に設定可能である、
請求項１ないし３のいずれか一記載の映像表示装置。
【請求項５】
前記履歴記憶手段は、前記操作回数に応じた情報に対する編集を許容する、
請求項１ないし４のいずれか一記載の映像表示装置。
【請求項６】
映像表示にかかる各種機能の分類を表す選択要素を並べて形成される上位階層となる分類選択要素群と、当該分類に対応する機能を表す選択要素を並べて形成される下位階層となる機能選択要素群との少なくとも２階層以上の構成であり、操作装置の操作によって任意の機能を表す選択要素を選択可能なメニュー画面を表示させるステップと、
前記メニュー画面に配置された前記選択要素に対する操作履歴から導かれる操作回数に応じた情報を記憶するステップと、
を含み、
前記メニュー画面を表示するステップは、機能分類に関わらず前記操作回数が多い機能を前記機能選択要素群でまとめて表示するための選択要素を前記分類選択要素群に表示するとともに、少なくとも一の階層に配置される前記選択要素について、前記操作回数が最も多い前記選択要素をフォーカスし、フォーカスされた前記選択要素から前記操作回数の多さに基づいて他の前記選択要素を配置する、
メニュー画面表示方法。
【請求項７】
前記メニュー画面に配置された前記選択要素に対する操作を行う人物を識別するステップを更に含み、
前記操作回数に応じた情報を記憶するステップは、識別された前記人物に対応付けて前記選択要素に対する操作によって選択された機能についてランキングを生成して前記操作回数に応じた情報として記憶する、
請求項６記載のメニュー画面表示方法。
【請求項８】
前記メニュー画面を表示するステップは、前記分類選択要素群と前記機能選択要素群との何れにおいても、選択された前記選択要素のサイズを他の前記選択要素のサイズよりも大きく表示する、
請求項７記載のメニュー画面表示方法。